【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
視野領域からの光を集光するレンズ部と、前記レンズ部が集光した光を用いて電子的な画像データを生成する撮像部と、前記撮像部が生成した前記画像データに対応する画像を表示する表示部と、前記撮像部が生成する前記画像データを記憶する記憶部とを備えた撮像装置であって、
前記表示部の表示画面上に設けられ、外部からの物体の接触位置に応じた信号の入力を受け付ける入力部と、
前記入力部における外部からの物体が接触した軌跡に応じて、前記画像内で基準となる基準方位を設定する方位設定部と、
前記方位設定部が設定した前記基準方位を前記画像データのヘッダ情報に含まれる方位情報として前記記憶部に記憶させる制御を行う制御部と、
を備えたことを特徴とする撮像装置。
【請求項２】
当該撮像装置を水平状態にした際の当該撮像装置で予め指定される指定方位を検出する方位検出部と、
前記方位検出部が検出した前記指定方位が前記基準方位に一致しているか否かを判定する方位判定部と、
を備え、
前記制御部は、前記方位判定部の判定結果に応じて、前記表示部が表示する前記画像を、前記表示部の表示画面の中心を通過し、該表示画面と直交する軸を中心軸として回転させて、前記基準方位を前記指定方位に一致させる制御を行うことを特徴とする請求項１に記載の撮像装置。
【請求項３】
視野領域からの光を集光するレンズ部と、前記レンズ部が集光した光を用いて電子的な画像データを生成する撮像部と、前記撮像部が生成した前記画像データを記憶する記憶部とを備えた撮像装置であって、
当該撮像装置で予め指定される指定方位を検出する方位検出部と、
前記方位検出部が検出した前記指定方位と前記撮像部が生成する前記画像データに対応する画像とを表示する表示部と、
前記表示部の表示画面上に設けられ、外部からの物体の接触位置に応じた信号の入力を受け付ける入力部と、
前記入力部が外部からの物体の接触位置に応じた信号の入力を受けたときに前記表示部が表示している前記指定方位を、前記画像内で基準となる基準方位として設定する方位設定部と、
前記方位設定部が設定した前記基準方位を前記画像データのヘッダ情報に含まれる方位情報として前記記憶部に記憶させる制御を行う制御部と、
を備えたことを特徴とする撮像装置。
【請求項４】
前記方位検出部が検出した前記指定方位が前記基準方位に一致しているか否かを判定する方位判定部を備え、
前記制御部は、前記方位判定部の判定結果に応じて、前記表示部が表示する前記画像を、前記表示部の表示画面の中心を通過し、該表示画面と直交する軸を中心軸として回転させて、前記基準方位を前記指定方位に一致させる制御を行うことを特徴とする請求項３に記載の撮像装置。
【請求項５】
前記方位判定部は、所定の時間間隔で前記指定方位が前記基準方位に一致しているか否かを判定することを特徴とする請求項２または４に記載の撮像装置。
【請求項６】
前記方位判定部の判定結果に応じて、前記撮像部が生成する前記画像データに対応する画像を前記表示部の表示画面より小さくした縮小画像を生成する画像縮小部を備え、
前記制御部は、前記縮小画像を前記表示部に表示させる制御を行うことを特徴とする請求項５に記載の撮像装置。
【請求項７】
前記画像は、地図画像であり、
前記基準方位は、前記地図画像内で方位合わせをする際に基準となる方位であることを特徴とする請求項１〜６のいずれか一つに記載の撮像装置。
【請求項８】
視野領域からの光を集光するレンズ部と、前記レンズ部が集光した光を用いて電子的な画像データを生成する撮像部と、前記撮像部が生成した前記画像データに対応する画像を表示する表示部と、前記撮像部が生成する前記画像データを記憶する記憶部と、前記表示部の表示画面上に設けられ、外部からの物体の接触位置に応じた信号の入力を受け付ける入力部と、を備えた撮像装置が実行する方位設定方法であって、
前記入力部における外部からの物体が接触した軌跡に応じて、前記画像内で基準となる基準方位を設定する方位設定ステップと、
前記方位設定ステップで設定した前記基準方位を前記画像データのヘッダ情報に含まれる方位情報として前記記憶部に記憶させる制御を行う制御ステップと、
を含むことを特徴とする方位設定方法。
【請求項９】
視野領域からの光を集光するレンズ部と、前記レンズ部が集光した光を用いて電子的な画像データを生成する撮像部と、前記撮像部が生成した前記画像データに対応する画像を表示する表示部と、前記撮像部が生成した前記画像データを記憶する記憶部と、前記表示部の表示画面上に設けられ、外部からの物体の接触位置に応じた信号の入力を受け付ける入力部と、を備えた撮像装置に実行させる方位設定方法であって、
当該撮像装置で予め指定される指定方位を検出する方位検出ステップと、
前記方位検出ステップで検出した前記指定方位を前記表示部に表示させる表示ステップと、
前記入力部が外部からの物体の接触位置に応じた信号の入力を受けたときに前記表示部が表示している前記指定方位を、前記画像内で基準となる基準方位として設定する方位設定ステップと、
前記方位設定ステップで設定した前記基準方位を前記画像データのヘッダ情報に含まれる方位情報として前記記憶部に記憶させる制御を行う制御ステップと、
を含むことを特徴とする方位設定方法。
【手続補正２】
【補正対象書類名】明細書
【補正対象項目名】発明の名称
【補正方法】変更
【補正の内容】
【発明の名称】撮像装置および方位設定方法
【手続補正３】
【補正対象書類名】明細書
【補正対象項目名】０００６
【補正方法】変更
【補正の内容】
【０００６】
上述した課題を解決し、目的を達成するために、本発明に係る撮像装置は、視野領域からの光を集光するレンズ部と、前記レンズ部が集光した光を用いて電子的な画像データを生成する撮像部と、前記撮像部が生成した前記画像データに対応する画像を表示する表示部と、前記撮像部が生成する前記画像データを記憶する記憶部とを備えた撮像装置であって、前記表示部の表示画面上に設けられ、外部からの物体の接触位置に応じた信号の入力を受け付ける入力部と、前記入力部における外部からの物体が接触した軌跡に応じて、前記画像内で基準となる基準方位を設定する方位設定部と、前記方位設定部が設定した前記基準方位を前記画像データのヘッダ情報に含まれる方位情報として前記記憶部に記憶させる制御を行う制御部と、を備えたことを特徴とする。
【手続補正４】
【補正対象書類名】明細書
【補正対象項目名】０００８
【補正方法】変更
【補正の内容】
【０００８】
また、本発明にかかる撮像装置は、上記発明において、視野領域からの光を集光するレンズ部と、前記レンズ部が集光した光を用いて電子的な画像データを生成する撮像部と、前記撮像部が生成した前記画像データを記憶する記憶部とを備えた撮像装置であって、当該撮像装置で予め指定される指定方位を検出する方位検出部と、前記方位検出部が検出した前記指定方位と前記撮像部が生成する前記画像データに対応する画像とを表示する表示部と、前記表示部の表示画面上に設けられ、外部からの物体の接触位置に応じた信号の入力を受け付ける入力部と、前記入力部が外部からの物体の接触位置に応じた信号の入力を受けたときに前記表示部が表示している前記指定方位を、前記画像内で基準となる基準方位として設定する方位設定部と、前記方位設定部が設定した前記基準方位を前記画像データのヘッダ情報に含まれる方位情報として前記記憶部に記憶させる制御を行う制御部と、を備えたことを特徴とする。
【手続補正５】
【補正対象書類名】明細書
【補正対象項目名】００１２
【補正方法】変更
【補正の内容】
【００１２】
また、本発明にかかる撮像装置は、上記発明において、前記画像は、地図画像であり、前記基準方位は、前記地図画像内で方位合わせをする際に基準となる方位であることを特徴とする。
また、本発明にかかる方位設定方法は、視野領域からの光を集光するレンズ部と、前記レンズ部が集光した光を用いて電子的な画像データを生成する撮像部と、前記撮像部が生成した前記画像データに対応する画像を表示する表示部と、前記撮像部が生成する前記画像データを記憶する記憶部と、前記表示部の表示画面上に設けられ、外部からの物体の接触位置に応じた信号の入力を受け付ける入力部と、を備えた撮像装置が実行する撮像方法であって、前記入力部における外部からの物体が接触した軌跡に応じて、前記画像内で基準となる基準方位を設定する方位設定ステップと、前記方位設定ステップで設定した前記基準方位を前記画像データのヘッダ情報に含まれる方位情報として前記記憶部に記憶させる制御を行う制御ステップと、を含むことを特徴とする。
また、本発明にかかる方位設定方法は、視野領域からの光を集光するレンズ部と、前記レンズ部が集光した光を用いて電子的な画像データを生成する撮像部と、前記撮像部が生成した前記画像データに対応する画像を表示する表示部と、前記撮像部が生成した前記画像データを記憶する記憶部と、前記表示部の表示画面上に設けられ、外部からの物体の接触位置に応じた信号の入力を受け付ける入力部と、を備えた撮像装置が実行する方位設定方法であって、当該撮像装置で予め指定される指定方位を検出する方位検出ステップと、前記方位検出ステップで検出した前記指定方位を前記表示部に表示させる表示ステップと、前記入力部が外部からの物体の接触位置に応じた信号の入力を受けたときに前記表示部が表示している前記指定方位を、前記画像内で基準となる基準方位として設定する方位設定ステップと、前記方位設定ステップで設定した前記基準方位を前記画像データのヘッダ情報に含まれる方位情報として前記記憶部に記憶させる制御を行う制御ステップと、を含むことを特徴とする。